(57)【要約】      （修正有）【課題】消防隊員の頸部を効果的に冷却して熱中症の予防が可能な保冷剤ユニットを提供する。【解決手段】人体の胴部及び両腕部を覆う上着本体５１と、上着本体の首開口の部分に一体に縫着されて、首廻りを覆うような起立状態で使用可能な衿部Ｎとを備えた防火服上着Ｃに着脱可能に取付けられる保冷剤ユニットＵであって、上着本体の後身頃の上端部の内側には、互いに引っ掛かり合いにより、別の布地部材を着脱可能に取付けるための面ファスナーが設けられ、収納袋に収納された薄板状の保冷剤Ｋは、収納袋に設けられた面ファスナーと面ファスナーとの引っ掛かり合いにより、人体の首部７２の背面側に配置可能な構成とする。【選択図】図１７
0003202395.tif 000002
【実用新案登録請求の範囲】
【請求項１】
人体の胴部及び両腕部を覆う上着本体と、当該上着本体の首開口の部分に一体に縫着されて、首廻りを覆うような起立状態で使用可能な衿部とを備えた防火服上着に着脱可能に取付けられる保冷剤ユニットであって、
前記上着本体の後身頃の上端部の内側には、互いに引っ掛かり合いにより、別の布地部材を着脱可能に取付けるための引掛り部が設けられ、収納袋に収納された薄板状の保冷剤は、当該収納袋に設けられた引掛り部と前記引掛り部との引っ掛かり合いにより、人体の首部の背面側に配置可能であることを特徴とする防火服上着に着脱可能に取付けられる保冷剤ユニット。
【請求項２】
前記引掛り部は、面ファスナーであることを特徴とする請求項２に記載の防火服上着に着脱可能に取付けられる保冷剤ユニット。
【考案の詳細な説明】
【技術分野】
【０００１】
本考案は、火元で消火活動を行う際の熱中症対策のために人体の首部背面の頸部を効果的に冷却するために防火服上着に着脱可能に取付けられる保冷剤ユニットに関するものである。
【背景技術】
【０００２】
防火服上着としては、人体の胴部及び両腕部を覆う上着本体と、当該上着本体の首開口の部分に一体に縫着されて、首廻りを覆うような起立状態で使用可能な衿部と、当該衿部の周方向の一端部に別部材となって一体に縫着されて、前記衿部を起立させた状態で人体のあごを覆うあご覆い部と、当該あご覆い部の使用時又は非使用時において、当該あご覆い部の先端部を前記衿部の異なる部位に着脱可能に取付けるために当該衿部の裏面、及び当該あご覆い部の先端部の両面に一体に縫着された二組の引掛り部とを備え、冬季においては、前記衿部を起立状態にして、前記あご覆い部により消防隊員のあごを覆って使用すると共に、夏季においては、前記衿部を倒した状態で使用している。なお、あご覆い部は、使用時、及び非使用時のいずれの場合も、衿部の裏面側に縫着された面ファスナー等で構成される一組の引掛り部のいずれかに引っ掛けられることにより、使用時においては、あご覆い部の覆い姿勢を確定させ、非使用時には、あご覆い部の二枚重ねに折り畳まれた状態を維持させている。以下、あご覆い部として、別部材を使用している防火服上着を「第１型」と称する。
【０００３】
一方、別部材のあご覆い部の替わりに、衿部の一方の端部をそのまま周方向（長手方向）に延長させ、その延長部をあご覆い部として機能させている防火服上着も存在している。以下、衿部の一端の延長部をあご覆い部として機能させている防火服上着を「第２型」と称する。第２型の防火服上着では、あご覆い部の使用時には、当該あご覆い部及び衿部の双方に設けられた面ファスナー等の引掛り部により、あご覆い部のあごを覆う姿勢を保持させており、当該あご覆い部の非使用時には、衿部の裏面側に折り畳んで引掛り部により、その折畳み姿勢を保持させるか、或いはそのまま垂れ下げたままにしている。
【０００４】
しかし、いずれの型においても、冬季の気温の低い時期においては、衿を略起立姿勢にして使用するのみでは、防寒性が不十分であり、防火服上着の衿部の防寒構造の改良が求められていた。なお、衿部を略起立姿勢にしたり、或いはあご覆い部によりあごを覆うのは、防寒の目的のみならず、消防隊員の防火作業時において、首部及びあご部を危険物から保護する目的もあり、従って、夏季等の気温の高い時期においても、衿部を略起立姿勢にしたり、或いはあご覆い部によりあごを覆うこともある。
【０００５】
一方、夏季等の気温の高い時期における非防火作業時には、衿部を横に倒すこともある。そして、夏季、及び冬季を問わず、熱中症等の対策のために、消防隊員の人体を冷却させる手段として、特許文献１に記載のように、防火服上着の衿部にポケット袋部を形成して、当該ポケット袋部に冷却剤を装填する提案がなされている。夏季における熱中症等の対策のために人体を冷却させる際には、首部の背面側である頸部を冷却させるのが最も効果的であることが知られており、上記提案では、衿部の構造が複雑になるのに加えて、人体の冷却される部分は、肩又は背中の上部となって、熱中症対策のために人体を冷却させる場合には、適切な冷却部位とは言えない。
【先行技術文献】
【特許文献】
【０００６】
【特許文献１】実用新案登録第３１７４７６３号公報
【考案の概要】
【考案が解決しようとする課題】
【０００７】
本考案は、消防隊員の頸部を効果的に冷却して熱中症の予防が可能な保冷剤ユニットの提供を課題としている。
【課題を解決するための手段】
【０００８】
上記課題を解決するための請求項１の考案は、人体の胴部及び両腕部を覆う上着本体と、当該上着本体の首開口の部分に一体に縫着されて、首廻りを覆うような起立状態で使用可能な衿部とを備えた防火服上着に着脱可能に取付けられる保冷剤ユニットであって、前記上着本体の後身頃の上端部の内側には、互いに引っ掛かり合いにより、別の布地部材を着脱可能に取付けるための引掛り部が設けられ、収納袋に収納された薄板状の保冷剤は、当該収納袋に設けられた引掛り部と前記引掛り部との引っ掛かり合いにより、人体の首部の背面側に配置可能であることを特徴としている。
【０００９】
請求項１の考案によれば、防火服上着の略起立姿勢の衿部により、収納袋に保冷剤が収納された保冷剤ユニットを首部の背面側の頸部に配置させることができて、人体に対する効果的な熱中症対策を実現できる。保冷剤は、薄板状であるために、人体の首部の背面側と防火服上着の衿部との隙間に首部の自由な動きを阻害することなく収容される。また、保冷剤ユニットを使用しない場合には、上着本体の後身頃の上端部の内側の引掛り部に対する引っ掛かりを解除して、上着本体から保冷剤ユニットを取り外せばよい。
【００１０】
請求項２の考案は、請求項１の考案において、前記引掛り部は、面ファスナーであることを特徴としている。
【００１１】
請求項２の考案によれば、面ファスナーは、薄くて、しかも大きな面積を確保できて、大きな引掛り力が得られるため、上着本体の後身頃の上端部の内側に保冷剤を収納した収納袋をしっかり取付けられて、簡単には取り外れない。
【考案の効果】
【００１２】
本考案によれば、防火服上着の略起立させた衿部を利用して、人体の首部の背面の頸部に保冷剤を配置することができて、最も効果的な熱中症対策を実現できる。
【図面の簡単な説明】
【００１３】
【図１】防寒衿体Ａ1 を衿部Ｎに取付けた防火服上着Ｃの使用状態の斜視図である。
【図２】防火服上着Ｃの正面図である。
【図３】（ａ），（ｂ）は、それぞれ防火服上着Ｃの衿部Ｎを略起立させた状態の正面図、及び側面図である。
【図４】（ａ），（ｂ）は、それぞれ防寒衿体Ａ1 の正面図、及び背面図である。
【図５】（ａ），（ｂ）は、それぞれ図４（ａ）のＸ1 −Ｘ1 線、及びＸ2 −Ｘ2 線の断面図である。
【図６】防火服上着Ｃの衿部Ｎに防寒衿体Ａ1 を取付ける前の状態の防火服上着Ｃの正面図である。
【図７】同じく取付けられた状態の正面図である。
【図８】同じく取付けられた状態の背面図である。
【図９】同じく取付けられた状態の側面図である。
【図１０】同じく取付けられた状態の側面断面図である。
【図１１】同じく取付けられた状態の模式的横断面図である。
【図１２】（ａ），（ｂ）は、それぞれ衿部Ｎ’を略起立させた状態、及び展開させた状態の防火服上着Ｃ’の部分正面図である。
【図１３】防火服上着Ｃ’の衿部Ｎ’に防寒衿体Ａ2 を取付けた状態の模式的横断面図である。
【図１４】本考案に係る保冷剤ユニットＵを構成する保冷剤Ｋと、当該保冷剤Ｋを収納する収納袋Ｂとを分離させた状態の斜視図である。
【図１５】収納袋Ｂに保冷剤Ｋが収納された状態の模式的縦断面図である。
【図１６】保冷剤Ｋが収納された収納袋Ｂと、当該収納袋Ｂが取付けられる衿部Ｎとの関係を示す防火服上着Ｃの部分正面図である。
【図１７】（ａ），（ｂ）は、それぞれ収納袋Ｂに収納された保冷剤Ｋの使用状態の側面図及び背面図である。
【考案を実施するための形態】
【００１４】
以下、実施例を挙げて、本考案について更に詳細に説明する。
【００１５】
最初に、図１ないし図３を参照して、「第１型」の防火服上着Ｃについて、防寒衿体Ａ1 ，Ａ2 が取付けられる衿部Ｎを中心にして、簡単に説明する。防火服上着Ｃは、人体の胴部及び両腕部を覆う上着本体５１と、当該上着本体５１の上端の首開口の部分に一体に縫着されて、首廻りを覆うような起立状態で使用可能な衿部Ｎと、当該衿部Ｎの周方向（長手方向）の一端に近い部分に別部材となって一体に縫着されて、前記衿部Ｎを起立させた状態で、人体のあごを覆うあご覆い部Ｓとを備えている。防火服業界では、あご覆い部は、「チンストラップ（chin strap）」とも称される。あご覆い部Ｓの先端部の表裏両面には、各平ファスナーＦ21，Ｆ22が一体に縫着されている。また、衿部Ｎの裏面側（当該衿部Ｎの起立状態で外側となる側）の周方向（長手方向）の一方の端部には、あご覆い部Ｓの裏面側の平ファスナーＦ21と引っ掛かり合う平ファスナーＦ23が縫着され、当該衿部Ｎの裏面側における他方の端部の側であって、前記あご覆い部Ｓの一体縫着部５２（図３参照）よりも背面側の部分には、当該あご覆い部Ｓの表面側の平ファスナーＦ22と引っ掛かり合う平ファスナーＦ24が縫着されている。また、上着本体５１の後身頃１６の上端部の内側には、後述の保冷剤Ｋを収納した収納袋Ｂを着脱可能に取付けるための平ファスナーＦ25が縫着されている。なお、平ファスナーとは、マジックファスナー（登録商標）として市販されていて、シート材に植設されている無数のループ片と、別のシート材に植設されて、当該ループ片に引っ掛かる無数の引掛り片との引っ掛かりにより、二つのシート材を分離可能に結合させる面状のファスナーを指す。
【００１６】
よって、図２に示されるように、衿部Ｎを略起立させた状態で、あご覆い部Ｓを人体のあごの部分にあてがって、当該あご覆い部Ｓの平ファスナーＦ21と、衿部Ｎの平ファスナーＦ22との引っ掛かりによって、当該あご覆い部Ｓが人体のあごを覆った状態を維持できる。一方、あご覆い部Ｓの非使用時には、図３（ｂ）に示されるように、あご覆い部Ｓを背面側に反転させて、その表面側に縫着された平ファスナーＦ22と、衿部Ｎの平ファスナーＦ24との引っ掛かりにより、衿部Ｎの一方の側部に配置させている。そして、衿部Ｎを横に倒して使用する場合には、背面側に反転されたあご覆い部Ｓは、横に倒された衿部Ｎと、上着本体５１の肩部との間に挟まれた状態となって配置される。
【００１７】
次に、図４ないし図１１を参照して、防火服上着Ｃの衿部Ｎに着脱可能に取付けられる防寒衿体Ａ1 の構成、及び当該衿部Ｎに対する防寒衿体Ａ1 の取付けについて説明する。防寒衿体Ａ1 を構成する衿体本体１０は、図４、図５、図１０及び図１１に示されるように、その幅及び周長（わん曲方向に沿った長さ）が、いずれも防火服上着Ｃの衿部Ｎの幅及び周長よりも僅かに長くなっていて、展開形状が環形の一部となるような形状の布地１１，１２を二枚重ねにして、計４辺のうち下側である下辺側のみを開口させ、残りの上辺側、及び両側辺側の３辺の縁部を互いに縫着して（図５において、上辺側、及び両側辺側の各縫着部がそれぞれ１３，１４で示されている）、変則袋状に形成されている。防寒衿体Ａ1 は、衿部Ｎに取付けられた状態で表側（当該衿部Ｎの起立状態で、内面側）に配置される布地１１の幅は、裏側となる布地１２よりも全長に亘って幅が僅かに広くなっており、特に、布地１１の周方向（長手方向）に沿って中央部の幅は、他の部分に比較して、別の布地１２に対して幅が広くなる割合が大きくなっている。図５（ｂ）において、各布地１１，１２の周方向（長手方向）の中央部の幅が、それぞれＷ1 ，Ｗ2 で示されている。布地１１における他の布地１２よりも幅が広くなっている部分は、別の余幅布地１１ａが余幅状態となって縫着されて形成されている。また、前記「環形の一部となるような形状」とは、所定幅のリング体を所定の中心角で切断した形状を指す。
【００１８】
衿体本体１０は、火災現場の火元に対する防炎性が求められ、防炎性の高い繊維であるアラミド繊維が１００％の素材、或いは当該アラミド繊維を高い割合で含む素材により形成される。防寒衿体Ａ1 を形成する素材の防炎性は、防火服の素材に求められるのと同程度であって、火元から離した瞬間に消火されて、焦げた部分が炭化する程度である。
【００１９】
変則袋状をした衿体本体１０は、防火服上着Ｃの衿部Ｎの全体を内部に収容して、当該衿部Ｎに覆い被せられた形態となって、当該衿部Ｎに取付けられ、この状態で、激しい防火活動によっても、衿部Ｎから取り外さないことが必要となる。上記したように、衿部Ｎの裏面側（当該衿部Ｎの起立状態で外側となる側）には、あご覆い部Ｓの使用時、及び非使用時の双方において、当該あご覆い部Ｓの先端部の表裏両面に一体に縫着された各平ファスナーＦ21，Ｆ22を引っ掛けるための２つの平ファスナーＦ23，Ｆ24が縫着されており、衿部Ｎに対して防寒衿体Ａ1 が容易に取り外されないように取付けるには、既存の前記各平ファスナーＦ23，Ｆ24を利用している。即ち、防寒衿体Ａ1 の側には、当該防寒衿体Ａ1 を防火服上着Ｃの衿部Ｎに対して外れないように取付けるための各平ファスナーＦ1 ，Ｆ2 と、防火服上着Ｃの衿部Ｎに防寒衿体Ａ1 を取付けた状態においても、あご覆い部Ｓの使用を可能とするための各平ファスナーＦ3 ，Ｆ4 がそれぞれ縫着されている。
【００２０】
即ち、防火服上着Ｃの衿部Ｎに防寒衿体Ａ1 を覆い被せて取付けた状態で、当該衿部Ｎの裏側に縫着された各平ファスナーＦ23，Ｆ24と対向する布地１２における当該各平ファスナーＦ23，Ｆ24と対応する部分には、それぞれ各平ファスナーＦ1 ，Ｆ2 が縫着されている。即ち、防寒衿体Ａ1 を構成していて、衿部Ｎの裏面側に配置される布地１２の内面側には、前記各平ファスナーＦ1 ，Ｆ2 がそれぞれ縫着され、当該布地１２の外面側における当該各平ファスナーＦ1 ，Ｆ2 と同一の部位には、防火服上着Ｃの衿部Ｎに防寒衿体Ａ1 を取付けた状態において、あご覆い部Ｓの使用を可能とするための各平ファスナーＦ3 ，Ｆ4 がそれぞれ縫着されている。また、防寒衿体Ａ1 を構成する布地１１の余幅部を形成する余幅布地１１ａの外面側における当該防寒衿体Ａ1 の周方向（長手方向）の中央部には、上着本体５１の後身頃１６の上端部の内側に縫着された平ファスナーＦ25に対して引っ掛けられる平ファスナーＦ5 が縫着されている。
【００２１】
また、衿体本体１０を構成していて、防火服上着Ｃの衿部Ｎの裏面側に配置される布地１２におけるあご覆い部Ｓの一体縫着部５２に対応する部分には、当該あご覆い部Ｓを挿通させて、その全体を衿体本体１０の外側に露出させるための挿通孔１５が幅方向に形成されている。
【００２２】
このため、図６ないし図１１に示されるように、防火服上着Ｃの衿部Ｎを起立状態にさせておいて、当該衿部Ｎの全体を衿体本体１０の内部に収容した状態で、当該衿部Ｎに衿体本体１０を覆い被せ、その途中において、衿体本体１０を構成する布地１２の挿通孔１５に、衿部Ｎに基端部が一体に縫着されたあご覆い部Ｓを挿通させて、当該あご覆い部Ｓを衿体本体１０の外側に露出させると、衿体本体１０の布地１２の内面側に縫着された２つの各平ファスナーＦ1 ，Ｆ2 が、防火服上着Ｃの衿部Ｎの２つの各平ファスナーＦ23，Ｆ24にそれぞれ引っ掛かり合って、防火服上着Ｃの衿部Ｎに衿体本体１０が着脱可能となって取付けられる。防火服上着Ｃの衿部Ｎに対する防寒衿体Ａ1 の取付けは、前記した２箇所における平ファスナーによる引っ掛かりのみならず、衿体本体１０の布地１２に形成された挿通孔１５に、衿部Ｎに基端部が一体に縫着されたあご覆い部Ｓが挿通されていて、当該挿通構造によって、激しい消火活動によっても、防火服上着Ｃの衿部Ｎから防寒衿体Ａ1 が取り外されることはない。
【００２３】
そして、防寒衿体Ａ1 が覆い被せられた衿部Ｎを起立状態にして、衿体本体１０の布地１２の挿通孔１５から引き出されたあご覆い部Ｓによって、人体のあご７１（図１０参照）を覆った状態で、当該あご覆い部Ｓの裏面側の平ファスナーＦ21と、衿体本体１０の裏側の布地１２に縫着された平ファスナーＦ3 とを互いに引っ掛けると、図１に示されるように、人体の首部７２とあご７１とが一体となって覆われる。なお、図１１から明白なように、衿体本体１０の裏側の布地１２の外面側に縫着されている２つの各平ファスナーＦ3,Ｆ4 は、それぞれ防火服上着Ｃの衿部Ｎの裏面側に縫着されている各平ファスナーＦ23，Ｆ24と同一の位置に配置されているので、あご覆い部Ｓは、防寒衿体Ａ1 を使用しない場合と全く同様にして、取り扱うことができる。
【００２４】
また、あご覆い部Ｓを使用しない場合には、図９で２点鎖線で示されるように、当該あご覆い部Ｓを背面側に反転させて、その表面側に縫着されている平ファスナーＦ22と、衿体本体１０の裏面側の布地１２に縫着された平ファスナーＦ4 とを引っ掛け合せて、あご覆い部Ｓを非使用状態にしておく。なお、防火服上着Ｃを装着しているが、消火活動を行なわない場合には、あご覆い部Ｓを非使用状態にして、衿部Ｎを倒しておくことも可能である。
【００２５】
このように、防火服上着Ｃの衿部Ｎの全体を変則袋状をした防寒衿体Ａ1 に収容して、当該衿部Ｎを防寒衿体Ａ1 で覆うことにより、衿部Ｎは、三重布地構造となって、保温性が高まり、人体の首部が防寒される。
【００２６】
次に、図１２及び図１３を参照して、「第２型」の防火服上着Ｃ’の衿部Ｎ’に取付けられる防寒衿体Ａ2 について説明する。なお、防寒衿体Ａ2 及び防火服上着Ｃ’の説明に際しては、防寒衿体Ａ1 に対応する部分には、同一符号に「’」を付する。防火服上着Ｃ’の衿部Ｎ’の一方の端部は、そのまま周方向（長手方向）に人体のあごを覆うことのできる長さだけ延長されて、当該延長部があご覆い部Ｓ’として機能している。衿部Ｎ’におけるあご覆い部Ｓ’が設けられていない側の端部の裏面側には、平ファスナーＦ23が縫着され、あご覆い部Ｓ’の表面側には、平ファスナーＦ21が縫着され、衿部Ｎ’を略起立させた状態で、あご覆い部Ｓ’により人体のあごを覆って、各平ファスナーＦ23，Ｆ21を互いに引っ掛かり合せる。
【００２７】
防寒衿体Ａ2 は、衿部Ｎ’の幅及び長さに対応した幅及び長さを有していて、環形の一部となるような形状をなしている。衿部Ｎ’の裏面側に配置される布地１２’における当該衿部Ｎ’の平ファスナーＦ23に対応する部分には、その表裏両面の同一の位置にそれぞれ平ファスナーＦ6 ，Ｆ7 が縫着されている。また、衿部Ｎ’の表面側に配置される布地１１’におけるあご覆い部Ｓ’の平ファスナーＦ21に対応する部分には、その表裏両面の同一の位置にそれぞれ平ファスナーＦ8 ，Ｆ9 が縫着されている。なお、防寒衿体Ａ1 と同様に、衿部Ｎ’の表面側に配置される布地１１’は、その開口部の側において幅が広くなった余幅布地１１ａ’が設けられ、この余幅布地１１ａ’の外面側には、防火服上着Ｃ’の後身頃１６の上端部の裏面に縫着された平ファスナーＦ25に引っ掛けられる平ファスナーＦ5 が縫着されている。
【００２８】
従って、防火服上着Ｃ’の衿部Ｎ’に防寒衿体Ａ2 を覆い被せて、当該衿部Ｎ’の長手方向の一端部、及びあご覆い部Ｓ’の自由端部にぞれぞれ縫着された各平ファスナーＦ23，Ｆ21と、防寒衿体Ａ2 を構成する各布地１１’，１２’の対応部分に縫着された各平ファスナーＦ6 ，Ｆ9 とを互いに引っ掛け合せると、当該衿部Ｎ’に対して防寒衿体Ａ2 が着脱可能となって取付けられる。この状態で、あご覆い部Ｓ’により人体のあごを覆って、当該あご覆い部Ｓ’の部分を覆う防寒衿体Ａ2 に縫着された平ファスナーＦ8 と、当該平ファスナーＦ8 と対向する平ファスナーＦ7 とを引っ掛け合せて、あご覆い部Ｓ’により人体のあごを覆った状態を維持させる。
【００２９】
上記した各防寒衿体Ａ1 ，Ａ2 においても、平ファスナーは、互いに重なりあった状態で配置されるが、平ファスナー自体が嵩張らない構造であるため、大きな嵩張り部が発生するのを防止して、違和感なく防寒衿体Ａ1 ，Ａ2 の使用ができる。
【００３０】
次に、図１４ないし図１７を参照して、本考案の実施例について説明する。保冷剤ユニットＵは、方形状の収納袋Ｂに保冷剤Ｋが収納されたものであって、収納袋Ｂを構成する表裏の各布地２１，２２は、その幅に差を有していて、各布地２１，２２の開口２３を形成する部分の端部の内側には、それぞれ平ファスナーＦ11，Ｆ12が対向する形態で縫着されている。このため、幅の広い布地２１に縫着される平ファスナーＦ11の幅は、幅の狭い布地２２に縫着される平ファスナーＦ12の幅よりも狭くなっていて、平ファスナーＦ11の露出部は、上着本体５１の後身頃１６の上端部の内側に縫着された平ファスナーＦ25と引っ掛け合って、薄板状の保冷剤Ｋを収納した収納袋Ｂの開口２３の部分を上着本体５１の後身頃１６の上端部の内側に取付けて、使用状態において、人体の首部７２と当該収納袋Ｂを防火服上着Ｃの衿部Ｎとの間に略起立姿勢で保冷剤ユニットＵを配置可能とする部分である。なお、収納袋Ｂは、前記衿体本体１０と同様に、防炎素材で形成され、薄板状の保冷剤Ｋは、樹脂パック２４に密封状態で収容されている。
【００３１】
図１５及び図１６に示されるように、樹脂パック２４に密封収容された保冷剤Ｋを収納袋Ｂの開口２３から、当該収納袋Ｂの内部に収納した状態において、開口２３の部分を密着させると、対向配置された各平ファスナーＦ11，Ｆ12が互いに引っ掛かり合って、収納袋Ｂの内部に保冷剤Ｋが収納された保冷剤ユニットＵとなる。
【００３２】
そして、保冷剤ユニットＵを構成する収納袋Ｂの布地２２を防火服上着Ｃの衿部Ｎと対向するように配置して、別の布地２１の開口２３の部分に露出している平ファスナーＦ11と、上着本体５１の後身頃１６に縫着された平ファスナーＦ25とを引っ掛かり合せると、起立状態の衿部Ｎの内側に保冷剤ユニットＵが配置され、この状態で、防火服上着Ｃを着衣すると、図１７に示されるように、保冷剤ユニットＵは、人体の首部７２の背面側である頸部７３の部分に配置される。保冷剤Ｋ自体は薄板状であるために、保冷剤ユニットＵは、人体の首部７２の背面側と防火服上着Ｃの衿部Ｎとの隙間に、首部７２の自由な動きを阻害することなく収容される。なお、各平ファスナーＦ11，Ｆ12の引っ掛かりの解除により、保冷剤Ｋの交換も容易に行える。
【００３３】
このように、人体の首部７２の背面側と防火服上着Ｃの衿部Ｎとの隙間に、首部７２の自由な動きを阻害することなく、大きな面積を有する保冷剤ユニットＵが収容されるために、火元で消火活動を行う消防隊員の熱中症対策に対して効果的である。
【００３４】
また、保冷剤Ｋを使用しない場合には、上着本体５１の後身頃１６の上端部の内側の引掛り部に対する引っ掛かりを解除して、上着本体５１から保冷剤Ｋを収納した収納袋Ｂを取り外せばよい。
【００３５】
なお、上記実施例では、収納袋Ｂと防火服上着Ｃとの引っ掛り合いは、当該収納袋Ｂの下端部のみであるが、収納袋Ｂを構成する布地２２と防火服上着Ｃの衿部Ｎとを、当該収納袋Ｂの上端部において、引っ掛かり合せることにより、収納袋Ｂの上下端部の２箇所において、防火服上着Ｃに対して引っ掛け合せることにより、当該防火服上着Ｃに対する保冷剤ユニットＵの取付けが安定する。
【００３６】
なお、上記においては、防火服上着の衿部に対する防寒衿体の取付け、及び後身頃に対する収納袋の取付けのための引掛り部は、いずれも平ファスナーで構成されており、平ファスナーは、防火服上着を着衣した場合においても、嵩張らないという利点がある。しかし、本考案における引掛り部は、ぼたん類、ひも類で構成することも可能である。
【符号の説明】
【００３７】
Ａ1,Ａ2 ：防寒衿体
Ｂ：収納袋
Ｃ：防火服上着
Ｆ1 〜Ｆ9 ：衿体本体に縫着された平ファスナー
Ｆ11，Ｆ12：保冷剤の収納袋に縫着された平ファスナー
Ｆ21〜Ｆ25：防火服上着に縫着された平ファスナー
Ｋ：保冷剤
Ｎ：防火服上着の衿部
Ｓ：あご覆い部
Ｕ：保冷剤ユニット
１０：衿体本体
１１：衿体本体を構成する表面側布地
１２：衿体本体を構成する裏面側布地
１５：挿通孔
１６：防火服上着の後身頃
２１，２２：保冷剤の収納袋を構成する布地
５１：上着本体
７１：人体のあご
７２：人体の首部
７３：人体の頸部
【図１】
0003202395.tif 000003
【図２】
0003202395.tif 000004
【図３】
0003202395.tif 000005
【図４】
0003202395.tif 000006
【図５】
0003202395.tif 000007
【図６】
0003202395.tif 000008
【図７】
0003202395.tif 000009
【図８】
0003202395.tif 000010
【図９】
0003202395.tif 000011
【図１０】
0003202395.tif 000012
【図１１】
0003202395.tif 000013
【図１２】
0003202395.tif 000014
【図１３】
0003202395.tif 000015
【図１４】
0003202395.tif 000016
【図１５】
0003202395.tif 000017
【図１６】
0003202395.tif 000018
【図１７】
0003202395.tif 000019
【手続補正書】
【提出日】平成27年11月25日(2015.11.25)
【手続補正１】
【補正対象書類名】実用新案登録請求の範囲
【補正対象項目名】全文
【補正方法】変更
【補正の内容】
【実用新案登録請求の範囲】
【請求項１】
人体の胴部及び両腕部を覆う上着本体と、当該上着本体の首開口の部分に一体に縫着されて、首廻りを覆うような起立状態で使用可能な衿部とを備えた防火服上着に着脱可能に取付けられる保冷剤ユニットであって、
保冷剤が収納される収納袋には、収納袋側引掛り部が下方に延出して一体に設けられ、
前記上着本体の後身頃の上端部の内側には、前記収納袋の収納袋側引掛り部に引っ掛かり合う後身頃側引掛り部が設けられ、
前記保冷剤は、前記収納袋側、及び後身頃側の各引掛り部の引っ掛かり合いにより、人体の首部の背面側に配置可能であることを特徴とする防火服上着に着脱可能に取付けられる保冷剤ユニット。  
【請求項２】
前記後身頃側、及び収納袋側の各引掛り部は、いずれも面ファスナーであることを特徴とする請求項１に記載の防火服上着に着脱可能に取付けられる保冷剤ユニット。
【手続補正２】
【補正対象書類名】明細書
【補正対象項目名】全文
【補正方法】変更
【補正の内容】
【考案の詳細な説明】
【技術分野】
【０００１】
本考案は、火元で消火活動を行う際の熱中症対策のために人体の首部背面の頸部を効果的に冷却するために防火服上着に着脱可能に取付けられる保冷剤ユニットに関するものである。
【背景技術】
【０００２】
防火服上着としては、人体の胴部及び両腕部を覆う上着本体と、当該上着本体の首開口の部分に一体に縫着されて、首廻りを覆うような起立状態で使用可能な衿部と、当該衿部の周方向の一端部に別部材となって一体に縫着されて、前記衿部を起立させた状態で人体のあごを覆うあご覆い部と、当該あご覆い部の使用時又は非使用時において、当該あご覆い部の先端部を前記衿部の異なる部位に着脱可能に取付けるために当該衿部の裏面、及び当該あご覆い部の先端部の両面に一体に縫着された二組の引掛り部とを備え、冬季においては、前記衿部を起立状態にして、前記あご覆い部により消防隊員のあごを覆って使用すると共に、夏季においては、前記衿部を倒した状態で使用している。なお、あご覆い部は、使用時、及び非使用時のいずれの場合も、衿部の裏面側に縫着された面ファスナー等で構成される一組の引掛り部のいずれかに引っ掛けられることにより、使用時においては、あご覆い部の覆い姿勢を確定させ、非使用時には、あご覆い部の二枚重ねに折り畳まれた状態を維持させている。以下、あご覆い部として、別部材を使用している防火服上着を「第１型」と称する。
【０００３】
一方、別部材のあご覆い部の替わりに、衿部の一方の端部をそのまま周方向（長手方向）に延長させ、その延長部をあご覆い部として機能させている防火服上着も存在している。以下、衿部の一端の延長部をあご覆い部として機能させている防火服上着を「第２型」と称する。第２型の防火服上着では、あご覆い部の使用時には、当該あご覆い部及び衿部の双方に設けられた面ファスナー等の引掛り部により、あご覆い部のあごを覆う姿勢を保持させており、当該あご覆い部の非使用時には、衿部の裏面側に折り畳んで引掛り部により、その折畳み姿勢を保持させるか、或いはそのまま垂れ下げたままにしている。
【０００４】
しかし、いずれの型においても、冬季の気温の低い時期においては、衿を起立姿勢にして使用するのみでは、防寒性が不十分であり、防火服上着の衿部の防寒構造の改良が求められていた。なお、衿部を起立姿勢にしたり、或いはあご覆い部によりあごを覆うのは、防寒の目的のみならず、消防隊員の防火作業時において、首部及びあご部を危険物から保護する目的もあり、従って、夏季等の気温の高い時期においても、衿部を起立姿勢にしたり、或いはあご覆い部によりあごを覆うこともある。
【０００５】
一方、夏季等の気温の高い時期における非防火作業時には、衿部を横に倒すこともある。そして、夏季、及び冬季を問わず、熱中症等の対策のために、消防隊員の人体を冷却させる手段として、特許文献１に記載のように、防火服上着の衿部にポケット袋部を形成して、当該ポケット袋部に冷却剤を装填する提案がなされている。夏季における熱中症等の対策のために人体を冷却させる際には、首部の背面側である頸部を冷却させるのが最も効果的であることが知られており、上記提案では、衿部の構造が複雑になるのに加えて、人体の冷却される部分は、肩又は背中の上部となって、熱中症対策のために人体を冷却させる場合には、適切な冷却部位とは言えない。
【先行技術文献】
【特許文献】
【０００６】
【特許文献１】実用新案登録第３１７４７６３号公報
【考案の概要】
【考案が解決しようとする課題】
【０００７】
本考案は、消防隊員の頸部を効果的に冷却して熱中症の予防が可能な保冷剤ユニットの提供を課題としている。
【課題を解決するための手段】
【０００８】
上記課題を解決するための請求項１の考案は、人体の胴部及び両腕部を覆う上着本体と、当該上着本体の首開口の部分に一体に縫着されて、首廻りを覆うような起立状態で使用可能な衿部とを備えた防火服上着に着脱可能に取付けられる保冷剤ユニットであって、
保冷剤が収納される収納袋には、収納袋側引掛り部が下方に延出して一体に設けられ、
前記上着本体の後身頃の上端部の内側には、前記収容袋の収納袋側引掛り部に引っ掛かり合う後身頃側引掛り部が設けられ、
前記保冷剤は、前記収納袋側、及び後身頃側の各引掛り部の引っ掛かり合いにより、人体の首部の背面側に配置可能であることを特徴としている。
【０００９】
請求項１の考案によれば、防火服上着の起立姿勢の衿部により、収納袋に保冷剤が収納された保冷剤ユニットを首部の背面側の頸部に配置させることができて、人体に対する効果的な熱中症対策を実現できる。保冷剤は、薄板状であるために、人体の首部の背面側と防火服上着の衿部との隙間に首部の自由な動きを阻害することなく収容される。また、保冷剤ユニットを使用しない場合には、上着本体の後身頃の上端部の内側の引掛り部に対する引っ掛かりを解除して、上着本体から保冷剤ユニットを取り外せばよい。
【００１０】
請求項２の考案は、請求項１の考案において、前記後身頃側、及び収納袋側の各引掛り部は、いずれも面ファスナーであることを特徴としている。
【００１１】
請求項２の考案によれば、後身頃側及び収納袋側の各引掛り部を構成する面ファスナーは、薄くて、しかも大きな面積を確保できて、大きな引掛り力が得られるため、上着本体の後身頃の上端部の内側に保冷剤を収納した収納袋をしっかり取付けられて、簡単には取り外れない。
【考案の効果】
【００１２】
本考案によれば、防火服上着の起立させた衿部を利用して、人体の首部の背面の頸部に保冷剤を配置することができて、最も効果的な熱中症対策を実現できる。
【図面の簡単な説明】
【００１３】
【図１】防寒衿体Ａ1 を衿部Ｎに取付けた防火服上着Ｃの使用状態の斜視図である。
【図２】防火服上着Ｃの正面図である。
【図３】（ａ），（ｂ）は、それぞれ防火服上着Ｃの衿部Ｎを起立させた状態の正面図、及び側面図である。
【図４】（ａ），（ｂ）は、それぞれ防寒衿体Ａ1 の正面図、及び背面図である。
【図５】（ａ），（ｂ）は、それぞれ図４（ａ）のＸ1 −Ｘ1 線、及びＸ2 −Ｘ2 線の断面図である。
【図６】防火服上着Ｃの衿部Ｎに防寒衿体Ａ1 を取付ける前の状態の防火服上着Ｃの正面図である。
【図７】同じく取付けられた状態の正面図である。
【図８】同じく取付けられた状態の背面図である。
【図９】同じく取付けられた状態の側面図である。
【図１０】同じく取付けられた状態の側面断面図である。
【図１１】同じく取付けられた状態の模式的横断面図である。
【図１２】（ａ），（ｂ）は、それぞれ衿部Ｎ’を起立させた状態、及び展開させた状態の防火服上着Ｃ’の部分正面図である。
【図１３】防火服上着Ｃ’の衿部Ｎ’に防寒衿体Ａ2 を取付けた状態の模式的横断面図である。
【図１４】本考案に係る保冷剤ユニットＵを構成する保冷剤Ｋと、当該保冷剤Ｋを収納する収納袋Ｂとを分離させた状態の斜視図である。
【図１５】収納袋Ｂに保冷剤Ｋが収納された状態の模式的縦断面図である。
【図１６】保冷剤Ｋが収納された収納袋Ｂと、当該収納袋Ｂが取付けられる衿部Ｎとの関係を示す防火服上着Ｃの部分正面図である。
【図１７】（ａ），（ｂ）は、それぞれ収納袋Ｂに収納された保冷剤Ｋの使用状態の側面図及び背面図である。
【考案を実施するための形態】
【００１４】
以下、実施例を挙げて、本考案について更に詳細に説明する。
【００１５】
最初に、図１ないし図３を参照して、「第１型」の防火服上着Ｃについて、防寒衿体Ａ1 ，Ａ2 が取付けられる衿部Ｎを中心にして、簡単に説明する。防火服上着Ｃは、人体の胴部及び両腕部を覆う上着本体５１と、当該上着本体５１の上端の首開口の部分に一体に縫着されて、首廻りを覆うような起立状態で使用可能な衿部Ｎと、当該衿部Ｎの周方向（長手方向）の一端に近い部分に別部材となって一体に縫着されて、前記衿部Ｎを起立させた状態で、人体のあごを覆うあご覆い部Ｓとを備えている。防火服業界では、あご覆い部は、「チンストラップ（chin strap）」とも称される。あご覆い部Ｓの先端部の表裏両面には、各平ファスナーＦ21，Ｆ22が一体に縫着されている。また、衿部Ｎの裏面側（当該衿部Ｎの起立状態で外側となる側）の周方向（長手方向）の一方の端部には、あご覆い部Ｓの裏面側の平ファスナーＦ21と引っ掛かり合う平ファスナーＦ23が縫着され、当該衿部Ｎの裏面側における他方の端部の側であって、前記あご覆い部Ｓの一体縫着部５２（図３参照）よりも背面側の部分には、当該あご覆い部Ｓの表面側の平ファスナーＦ22と引っ掛かり合う平ファスナーＦ24が縫着されている。また、上着本体５１の後身頃１６の上端部の内側には、後述の保冷剤Ｋを収納した収納袋Ｂを着脱可能に取付けるための平ファスナーＦ25が縫着されている。なお、平ファスナーとは、マジックファスナー（登録商標）として市販されていて、シート材に植設されている無数のループ片と、別のシート材に植設されて、当該ループ片に引っ掛かる無数の引掛り片との引っ掛かりにより、二つのシート材を分離可能に結合させる面状のファスナーを指す。
【００１６】
よって、図２に示されるように、衿部Ｎを起立させた状態で、あご覆い部Ｓを人体のあごの部分にあてがって、当該あご覆い部Ｓの平ファスナーＦ21と、衿部Ｎの平ファスナーＦ22との引っ掛かりによって、当該あご覆い部Ｓが人体のあごを覆った状態を維持できる。一方、あご覆い部Ｓの非使用時には、図３（ｂ）に示されるように、あご覆い部Ｓを背面側に反転させて、その表面側に縫着された平ファスナーＦ22と、衿部Ｎの平ファスナーＦ24との引っ掛かりにより、衿部Ｎの一方の側部に配置させている。そして、衿部Ｎを横に倒して使用する場合には、背面側に反転されたあご覆い部Ｓは、横に倒された衿部Ｎと、上着本体５１の肩部との間に挟まれた状態となって配置される。
【００１７】
次に、図４ないし図１１を参照して、防火服上着Ｃの衿部Ｎに着脱可能に取付けられる防寒衿体Ａ1 の構成、及び当該衿部Ｎに対する防寒衿体Ａ1 の取付けについて説明する。防寒衿体Ａ1 を構成する衿体本体１０は、図４、図５、図１０及び図１１に示されるように、その幅及び周長（わん曲方向に沿った長さ）が、いずれも防火服上着Ｃの衿部Ｎの幅及び周長よりも僅かに長くなっていて、展開形状が環形の一部となるような形状の布地１１，１２を二枚重ねにして、計４辺のうち下側である下辺側のみを開口させ、残りの上辺側、及び両側辺側の３辺の縁部を互いに縫着して（図５において、上辺側、及び両側辺側の各縫着部がそれぞれ１３，１４で示されている）、変則袋状に形成されている。防寒衿体Ａ1 は、衿部Ｎに取付けられた状態で表側（当該衿部Ｎの起立状態で、内面側）に配置される布地１１の幅は、裏側となる布地１２よりも全長に亘って幅が僅かに広くなっており、特に、布地１１の周方向（長手方向）に沿って中央部の幅は、他の部分に比較して、別の布地１２に対して幅が広くなる割合が大きくなっている。図５（ｂ）において、各布地１１，１２の周方向（長手方向）の中央部の幅が、それぞれＷ1 ，Ｗ2 で示されている。布地１１における他の布地１２よりも幅が広くなっている部分は、別の余幅布地１１ａが余幅状態となって縫着されて形成されている。また、前記「環形の一部となるような形状」とは、所定幅のリング体を所定の中心角で切断した形状を指す。
【００１８】
衿体本体１０は、火災現場の火元に対する防炎性が求められ、防炎性の高い繊維であるアラミド繊維が１００％の素材、或いは当該アラミド繊維を高い割合で含む素材により形成される。防寒衿体Ａ1 を形成する素材の防炎性は、防火服の素材に求められるのと同程度であって、火元から離した瞬間に消火されて、焦げた部分が炭化する程度である。
【００１９】
変則袋状をした衿体本体１０は、防火服上着Ｃの衿部Ｎの全体を内部に収容して、当該衿部Ｎに覆い被せられた形態となって、当該衿部Ｎに取付けられ、この状態で、激しい防火活動によっても、衿部Ｎから取り外さないことが必要となる。上記したように、衿部Ｎの裏面側（当該衿部Ｎの起立状態で外側となる側）には、あご覆い部Ｓの使用時、及び非使用時の双方において、当該あご覆い部Ｓの先端部の表裏両面に一体に縫着された各平ファスナーＦ21，Ｆ22を引っ掛けるための２つの平ファスナーＦ23，Ｆ24が縫着されており、衿部Ｎに対して防寒衿体Ａ1 が容易に取り外されないように取付けるには、既存の前記各平ファスナーＦ23，Ｆ24を利用している。即ち、防寒衿体Ａ1 の側には、当該防寒衿体Ａ1 を防火服上着Ｃの衿部Ｎに対して外れないように取付けるための各平ファスナーＦ1 ，Ｆ2 と、防火服上着Ｃの衿部Ｎに防寒衿体Ａ1 を取付けた状態においても、あご覆い部Ｓの使用を可能とするための各平ファスナーＦ3 ，Ｆ4 がそれぞれ縫着されている。
【００２０】
即ち、防火服上着Ｃの衿部Ｎに防寒衿体Ａ1 を覆い被せて取付けた状態で、当該衿部Ｎの裏側に縫着された各平ファスナーＦ23，Ｆ24と対向する布地１２における当該各平ファスナーＦ23，Ｆ24と対応する部分には、それぞれ各平ファスナーＦ1 ，Ｆ2 が縫着されている。即ち、防寒衿体Ａ1 を構成していて、衿部Ｎの裏面側に配置される布地１２の内面側には、前記各平ファスナーＦ1 ，Ｆ2 がそれぞれ縫着され、当該布地１２の外面側における当該各平ファスナーＦ1 ，Ｆ2 と同一の部位には、防火服上着Ｃの衿部Ｎに防寒衿体Ａ1 を取付けた状態において、あご覆い部Ｓの使用を可能とするための各平ファスナーＦ3 ，Ｆ4 がそれぞれ縫着されている。また、防寒衿体Ａ1 を構成する布地１１の余幅部を形成する余幅布地１１ａの外面側における当該防寒衿体Ａ1 の周方向（長手方向）の中央部には、上着本体５１の後身頃１６の上端部の内側に縫着された平ファスナーＦ25に対して引っ掛けられる平ファスナーＦ5 が縫着されている。
【００２１】
また、衿体本体１０を構成していて、防火服上着Ｃの衿部Ｎの裏面側に配置される布地１２におけるあご覆い部Ｓの一体縫着部５２に対応する部分には、当該あご覆い部Ｓを挿通させて、その全体を衿体本体１０の外側に露出させるための挿通孔１５が幅方向に形成されている。
【００２２】
このため、図６ないし図１１に示されるように、防火服上着Ｃの衿部Ｎを起立状態にさせておいて、当該衿部Ｎの全体を衿体本体１０の内部に収容した状態で、当該衿部Ｎに衿体本体１０を覆い被せ、その途中において、衿体本体１０を構成する布地１２の挿通孔１５に、衿部Ｎに基端部が一体に縫着されたあご覆い部Ｓを挿通させて、当該あご覆い部Ｓを衿体本体１０の外側に露出させると、衿体本体１０の布地１２の内面側に縫着された２つの各平ファスナーＦ1 ，Ｆ2 が、防火服上着Ｃの衿部Ｎの２つの各平ファスナーＦ23，Ｆ24にそれぞれ引っ掛かり合って、防火服上着Ｃの衿部Ｎに衿体本体１０が着脱可能となって取付けられる。防火服上着Ｃの衿部Ｎに対する防寒衿体Ａ1 の取付けは、前記した２箇所における平ファスナーによる引っ掛かりのみならず、衿体本体１０の布地１２に形成された挿通孔１５に、衿部Ｎに基端部が一体に縫着されたあご覆い部Ｓが挿通されていて、当該挿通構造によって、激しい消火活動によっても、防火服上着Ｃの衿部Ｎから防寒衿体Ａ1 が取り外されることはない。
【００２３】
そして、防寒衿体Ａ1 が覆い被せられた衿部Ｎを起立状態にして、衿体本体１０の布地１２の挿通孔１５から引き出されたあご覆い部Ｓによって、人体のあご７１（図１０参照）を覆った状態で、当該あご覆い部Ｓの裏面側の平ファスナーＦ21と、衿体本体１０の裏側の布地１２に縫着された平ファスナーＦ3 とを互いに引っ掛けると、図１に示されるように、人体の首部７２とあご７１とが一体となって覆われる。なお、図１１から明白なように、衿体本体１０の裏側の布地１２の外面側に縫着されている２つの各平ファスナーＦ3,Ｆ4 は、それぞれ防火服上着Ｃの衿部Ｎの裏面側に縫着されている各平ファスナーＦ23，Ｆ24と同一の位置に配置されているので、あご覆い部Ｓは、防寒衿体Ａ1 を使用しない場合と全く同様にして、取り扱うことができる。
【００２４】
また、あご覆い部Ｓを使用しない場合には、図９で２点鎖線で示されるように、当該あご覆い部Ｓを背面側に反転させて、その表面側に縫着されている平ファスナーＦ22と、衿体本体１０の裏面側の布地１２に縫着された平ファスナーＦ4 とを引っ掛け合せて、あご覆い部Ｓを非使用状態にしておく。なお、防火服上着Ｃを装着しているが、消火活動を行なわない場合には、あご覆い部Ｓを非使用状態にして、衿部Ｎを倒しておくことも可能である。
【００２５】
このように、防火服上着Ｃの衿部Ｎの全体を変則袋状をした防寒衿体Ａ1 に収容して、当該衿部Ｎを防寒衿体Ａ1 で覆うことにより、衿部Ｎは、三重布地構造となって、保温性が高まり、人体の首部が防寒される。
【００２６】
次に、図１２及び図１３を参照して、「第２型」の防火服上着Ｃ’の衿部Ｎ’に取付けられる防寒衿体Ａ2 について説明する。なお、防寒衿体Ａ2 及び防火服上着Ｃ’の説明に際しては、防寒衿体Ａ1 に対応する部分には、同一符号に「’」を付する。防火服上着Ｃ’の衿部Ｎ’の一方の端部は、そのまま周方向（長手方向）に人体のあごを覆うことのできる長さだけ延長されて、当該延長部があご覆い部Ｓ’として機能している。衿部Ｎ’におけるあご覆い部Ｓ’が設けられていない側の端部の裏面側には、平ファスナーＦ23が縫着され、あご覆い部Ｓ’の表面側には、平ファスナーＦ21が縫着され、衿部Ｎ’を起立させた状態で、あご覆い部Ｓ’により人体のあごを覆って、各平ファスナーＦ23，Ｆ21を互いに引っ掛かり合せる。
【００２７】
防寒衿体Ａ2 は、衿部Ｎ’の幅及び長さに対応した幅及び長さを有していて、環形の一部となるような形状をなしている。衿部Ｎ’の裏面側に配置される布地１２’における当該衿部Ｎ’の平ファスナーＦ23に対応する部分には、その表裏両面の同一の位置にそれぞれ平ファスナーＦ6 ，Ｆ7 が縫着されている。また、衿部Ｎ’の表面側に配置される布地１１’におけるあご覆い部Ｓ’の平ファスナーＦ21に対応する部分には、その表裏両面の同一の位置にそれぞれ平ファスナーＦ8 ，Ｆ9 が縫着されている。なお、防寒衿体Ａ1 と同様に、衿部Ｎ’の表面側に配置される布地１１’は、その開口部の側において幅が広くなった余幅布地１１ａ’が設けられ、この余幅布地１１ａ’の外面側には、防火服上着Ｃ’の後身頃１６の上端部の裏面に縫着された平ファスナーＦ25に引っ掛けられる平ファスナーＦ5 が縫着されている。
【００２８】
従って、防火服上着Ｃ’の衿部Ｎ’に防寒衿体Ａ2 を覆い被せて、当該衿部Ｎ’の長手方向の一端部、及びあご覆い部Ｓ’の自由端部にぞれぞれ縫着された各平ファスナーＦ23，Ｆ21と、防寒衿体Ａ2 を構成する各布地１１’，１２’の対応部分に縫着された各平ファスナーＦ6 ，Ｆ9 とを互いに引っ掛け合せると、当該衿部Ｎ’に対して防寒衿体Ａ2 が着脱可能となって取付けられる。この状態で、あご覆い部Ｓ’により人体のあごを覆って、当該あご覆い部Ｓ’の部分を覆う防寒衿体Ａ2 に縫着された平ファスナーＦ8 と、当該平ファスナーＦ8 と対向する平ファスナーＦ7 とを引っ掛け合せて、あご覆い部Ｓ’により人体のあごを覆った状態を維持させる。
【００２９】
上記した各防寒衿体Ａ1 ，Ａ2 においても、平ファスナーは、互いに重なりあった状態で配置されるが、平ファスナー自体が嵩張らない構造であるため、大きな嵩張り部が発生するのを防止して、違和感なく防寒衿体Ａ1 ，Ａ2 の使用ができる。
【００３０】
次に、図１４ないし図１７を参照して、本考案の実施例について説明する。保冷剤ユニットＵは、方形状の収納袋Ｂに保冷剤Ｋが収納されたものであって、収納袋Ｂを構成する表裏の各布地２１，２２は、その幅に差を有していて、各布地２１，２２の開口２３を形成する部分の端部の内側には、それぞれ平ファスナーＦ11，Ｆ12が対向する形態で縫着されている。このため、幅の広い布地２１に縫着される平ファスナーＦ11の幅は、幅の狭い布地２２に縫着される平ファスナーＦ12の幅よりも狭くなっていて、平ファスナーＦ11の露出部は、上着本体５１の後身頃１６の上端部の内側に縫着された平ファスナーＦ25と引っ掛け合って、薄板状の保冷剤Ｋを収納した収納袋Ｂの開口２３の部分を上着本体５１の後身頃１６の上端部の内側に取付けて、使用状態において、人体の首部７２と当該収納袋Ｂを防火服上着Ｃの衿部Ｎとの間に起立姿勢で保冷剤ユニットＵを配置可能とする部分である。なお、収納袋Ｂは、前記衿体本体１０と同様に、防炎素材で形成され、薄板状の保冷剤Ｋは、樹脂ユニット２４に密封状態で収容されている。
【００３１】
図１５及び図１６に示されるように、樹脂パック２４に密封収容された保冷剤Ｋを収納袋Ｂの開口２３から、当該収納袋Ｂの内部に収納した状態において、開口２３の部分を密着させると、対向配置された各平ファスナーＦ11，Ｆ12が互いに引っ掛かり合って、収納袋Ｂの内部に保冷剤Ｋが収納された保冷剤ユニットＵとなる。
【００３２】
そして、保冷剤ユニットＵを構成する収納袋Ｂの布地２２を防火服上着Ｃの衿部Ｎと対向するように配置して、別の布地２１の開口２３の部分に露出している平ファスナーＦ11と、上着本体５１の後身頃１６に縫着された平ファスナーＦ25とを引っ掛かり合せると、起立状態の衿部Ｎの内側に保冷剤ユニットＵが配置され、この状態で、防火服上着Ｃを着衣すると、図１７に示されるように、保冷剤ユニットＵは、人体の首部７２の背面側である頸部７３の部分に配置される。保冷剤Ｋ自体は薄板状であるために、保冷剤ユニットＵは、人体の首部７２の背面側と防火服上着Ｃの衿部Ｎとの隙間に、首部７２の自由な動きを阻害することなく収容される。なお、各平ファスナーＦ11，Ｆ12の引っ掛かりの解除により、保冷剤Ｋの交換も容易に行える。
【００３３】
このように、人体の首部７２の背面側と防火服上着Ｃの衿部Ｎとの隙間に、首部７２の自由な動きを阻害することなく、大きな面積を有する保冷剤ユニットＵが収容されるために、火元で消火活動を行う消防隊員の熱中症対策に対して効果的である。
【００３４】
また、保冷剤Ｋを使用しない場合には、上着本体５１の後身頃１６の上端部の内側の引掛り部に対する引っ掛かりを解除して、上着本体５１から保冷剤Ｋを収納した収納袋Ｂを取り外せばよい。
【００３５】
なお、上記実施例では、収納袋Ｂと防火服上着Ｃとの引っ掛り合いは、当該収納袋Ｂの下端部のみであるが、収納袋Ｂを構成する布地２２と防火服上着Ｃの衿部Ｎとを、当該収納袋Ｂの上端部において、引っ掛かり合せることにより、収納袋Ｂの上下端部の２箇所において、防火服上着Ｃに対して引っ掛け合せることにより、当該防火服上着Ｃに対する保冷剤ユニットＵの取付けが安定する。
【００３６】
なお、上記においては、防火服上着の衿部に対する防寒衿体の取付け、及び後身頃に対する収納袋の取付けのための引掛り部は、いずれも平ファスナーで構成されており、平ファスナーは、防火服上着を着衣した場合においても、嵩張らないという利点がある。しかし、本考案における引掛り部は、ぼたん類、ひも類で構成することも可能である。
【符号の説明】
【００３７】
Ａ1,Ａ2 ：防寒衿体
Ｂ：収納袋
Ｃ：防火服上着
Ｆ1 〜Ｆ9 ：衿体本体に縫着された平ファスナー
Ｆ11：保冷剤の収納袋に縫着された平ファスナー（収納袋側引掛り部）
Ｆ12：保冷剤の収納袋に縫着された平ファスナー
Ｆ21〜Ｆ24  防火服上着に縫着された平ファスナー
Ｆ25：防火服上着の後身頃に縫着された平ファスナー（後身頃側引掛り部）
Ｋ：保冷剤
Ｎ：防火服上着の衿部
Ｓ：あご覆い部
Ｕ：保冷剤ユニット
１０：衿体本体
１１：衿体本体を構成する表面側布地
１２：衿体本体を構成する裏面側布地
１５：挿通孔
１６：防火服上着の後身頃
２１，２２：保冷剤の収納袋を構成する布地
５１：上着本体
７１：人体のあご
７２：人体の首部
７３：人体の頸部